(57)【要約】【課題】押圧体と押圧体を摺動可能に収容する収容部との隙間に混入する液体や固体などの混入物による各種操作ボタンの摺動性の悪化を軽減可能な遊技機を提供する。【解決手段】パチスロ１の台座部１２に設けられるストップボタン１９は、押圧されて移動する押圧体２２０Ａと、押圧体２２０Ａを移動可能に収容する収容部７００とを有するとともに、押圧体２２０Ａの移動の際、当該移動を可能とさせる隙間部８００を押圧体２２０Ａと収容部７００との間に形成し、押圧体２２０Ａの側周部２２２と収容部７００の内周面７０１とで形成される摺動面の所定領域に隙間部８００から混入する混入物を退避させる窪み部（２２５，７１５）を有する。【選択図】図１４
2016152883.tif 000002
【特許請求の範囲】
【請求項１】
押圧されて移動する押圧体と、
前記押圧体を移動可能に収容する収容部と、
を有する操作ボタンを備える遊技機において、
前記操作ボタンは、前記押圧体の移動の際、当該移動を可能とさせる隙間部を前記押圧体と前記収容部との間に形成し、前記押圧体の周面と前記収容部の周面とで形成される摺動面の所定領域に前記隙間部から混入する混入物を退避させる窪み部を有することを特徴とする遊技機。
【請求項２】
前記窪み部は、前記摺動面の所定領域に複数設けられることを特徴とする請求項１に記載の遊技機。
【請求項３】
前記窪み部は、略重力方向に中心軸を有するように形成されることを特徴とする請求項２に記載の遊技機。
【発明の詳細な説明】
【技術分野】
【０００１】
本発明は、ベットボタン、ストップボタン等の各種操作ボタンを有する遊技機に関する。
【背景技術】
【０００２】
一般に、パチスロ等の遊技機は、前面に、遊技者の操作を受け付ける操作部を備えている。操作部には、遊技者の操作を受け付ける各種操作ボタンとして、たとえば停止ボタン、ＭＡＸベットボタン等の種々のボタンあるいはスイッチが設けられる場合も多い。
【０００３】
この種の操作部を有する遊技機の一例として、特許文献１には、ＭＡＸベットボタンとＯＮＥベットボタンを一体に設けた押しボタンスイッチユニットを有し、操作頻度の高いＭＡＸベットボタンの操作が容易とする配置構成とすることで、メダルと投入枚数の指示操作を円滑に行えるようにした遊技機が開示されている（段落００８６、図６等）。
【０００４】
この遊技機では、押しボタンスイッチユニットは、ＭＡＸベットボタンの操作部として用いられる第１操作部、及びＯＮＥベットボタンの操作部として用いられる第２操作部がホルダの内周よりも小さく形成され、これにより、ホルダが第１，第２操作部を押圧可能に保持する構造（段落００９３、図７、図８）を有している。
【０００５】
また、特許文献２には、ベットボタンスイッチ、スタートレバースイッチ、左、中、右の各ストップボタンスイッチ等を有する操作部ＯＰを備えた遊技機（段落００３９、図１）が開示されている。
【０００６】
上記操作部ＯＰにおいて、ストップボタンスイッチは、前カバーが遊技者に押されると、移動体はケースの軸線に沿って後進する一方、スプリングによって常に前方へ向かう反力を与えられており、遊技者から押される力が移動体から解除されると、移動体は初期位置に復帰するように動く構造（段落００６７〜００７０、図４、図５）を有している。
【先行技術文献】
【特許文献】
【０００７】
【特許文献１】特開２００６−２５５２５９号公報
【特許文献２】特開２００６−１１５８７６号公報
【発明の概要】
【発明が解決しようとする課題】
【０００８】
前述したように、特許文献１に記載のＭＡＸベットボタン及びＯＮＥベットボタン、特許文献２に記載のストップボタンスイッチ等の従来の各種操作ボタンは、押圧体を摺動可能に収容部（特許文献１のホルダ、特許文献２のケース参照）に収容するために、押圧体とその収容部との間に隙間を有するのが一般的である。
【０００９】
ところで、パチスロ等の遊技機では、飲食をしながら遊技を行う遊技者も多く、その中でも飲料の摂取をしながら遊技をするものが多く見られる。そのような中、遊技中、手違いで遊技機に設けられる各種操作ボタンにその飲料を溢してしまう、また食べ物を落としてしまう、という場合が見受けられ、これらが各種操作ボタン上で行われると上記従来の遊技機では、押圧体と収容部間とで構成される隙間（空間）が設けられていることから、前記飲料や食べ物などが入り込んでしまうこともある。
【００１０】
このような場合、飲料などの液体は糖分を含むものも多く、各種操作ボタンに対して飲料や食べ物などの異物混入が繰り返し行われると、糖分を多く含む飲料は拭き取りを行わず長時間放置すると、糖分の粘着性により乾燥された状態で各種操作ボタンの表面に付着物となり付着されてその付着量が蓄積されてしまう。そうすると、蓄積により前記隙間が圧迫されて操作ボタンの操作の阻害要因となり、摺動性の悪化に繋がる恐れが生じてしまう。また、繰り返される回数が増すことにより、ひどい場合には各種操作ボタンの押圧体と収容部の摺動面同士が糖分の粘着性による乾燥で固着されてしまい、つまり、上記糖分の粘着性によって押圧体と収容部の摺動面同士が癒着して押下状態のまま操作を行えないといった状態となることもあり、遊技に支障をきたすことが問題視されると共に、遊技者に対しても多大な不快感を与えてしまう。
【００１１】
本発明は、上述した問題点に鑑みてなされたものであり、押圧体と押圧体を摺動可能に収容する収容部との隙間に混入する液体や固体などの混入物による各種操作ボタンの摺動性の悪化を軽減可能な遊技機を提供することを目的とする。
【課題を解決するための手段】
【００１２】
本発明の一形態に係る遊技機は、押圧されて移動する押圧体と、前記押圧体を移動可能に収容する収容部と、を有する操作ボタンを備える遊技機において、前記操作ボタンは、前記押圧体の移動の際、当該移動を可能とさせる隙間部を前記押圧体と前記収容部との間に形成し、前記押圧体の周面と前記収容部の周面とで形成される摺動面の所定領域に前記隙間部から混入する混入物を退避させる窪み部を有することを特徴とする。
【００１３】
この構成により、本発明の遊技機では、操作ボタンは、押圧体の周面と収容部の周面とで形成される摺動面の所定領域に窪み部を設けているので、押圧体と収容部間で形成される隙間部（空間）の容量の拡張作用を促し、飲料などの混入物を窪み部へと退避させることで該混入物による押圧体と収容部間の癒着を回避し易い空間を形成できるようになる。これにより、操作ボタンの摺動性の動作状態の悪化を軽減させるとともに比較的長期間化させ、防ぐことが可能となる。
【００１４】
また、本発明の一形態に係る遊技機において、前記窪み部は、前記摺動面の所定領域に複数設けられる構成としてもよい。
【００１５】
この構成により、本発明の遊技機では、複数の窪み部によって押圧体と収容部間で形成される隙間部（空間）の容量の拡張作用をさらに促し、飲料などの混入物による押圧体と収容部間の癒着をより回避し易い空間を形成できるようになり、操作ボタンの摺動性の動作状態の悪化を軽減させることができる。
【００１６】
また、本発明の一形態に係る遊技機において、前記窪み部は、略重力方向に中心軸を有するように形成される構成としてもよい。
【００１７】
この構成により、本発明の遊技機では、重力に従って隙間部から混入してくる飲料などの混入物を略重力方向に中心軸を有する窪み部へと確実に退避させることで該混入物による押圧体と収容部間の癒着をより回避し易い空間を形成できるようになり、操作ボタンの摺動性の動作状態の悪化を軽減させることができる。また、窪み部の配置角度など、設計自由度の向上が図れる。
【発明の効果】
【００１８】
本発明によれば、押圧体と押圧体を摺動可能に収容する収容部との隙間に混入する液体や固体などの混入物による各種操作ボタンの摺動性の悪化を軽減可能な遊技機を提供することができる。
【図面の簡単な説明】
【００１９】
【図１】本発明の一実施形態の遊技機における機能フローを説明する説明図である。
【図２】本発明の一実施形態の遊技機における外観構成例を示す斜視図である。
【図３】本発明の一実施形態の遊技機における内部構造を示すものであり、ミドルドアを閉じた状態の斜視図である。
【図４】本発明の一実施形態の遊技機における内部構造を示すものであり、ミドルドアを開けた状態の斜視図である。
【図５】本発明の一実施形態の遊技機におけるキャビネットの内部を示す説明図である。
【図６】本発明の一実施形態の遊技機におけるフロントドアの裏面側を示す説明図である。
【図７】本発明の一実施形態の遊技機における制御系を示すブロック図である。
【図８】本発明の一実施形態の遊技機における主制御回路の構成例を示すブロック図である。
【図９】本発明の一実施形態の遊技機における副制御回路の構成例を示すブロック図である。
【図１０】本発明の一実施形態の遊技機における操作部の斜視図である。
【図１１】本発明の一実施形態の遊技機における操作部の分解斜視図である。
【図１２】図１０の操作部におけるカバー部を後斜め上方から視た斜視図である。
【図１３】図１０のＡ−Ａ線矢視断面図である。
【図１４】本発明の一実施形態の遊技機におけるストップボタンの断面構造を示す概念図である。
【図１５】図１４のストップボタンにおける押圧体の構成を示す図である。
【図１６】図１４のストップボタンにおける摺動性悪化軽減作用を説明するための概念図である。
【図１７】本発明の一実施形態の遊技機における別の例のストップボタンの断面構造を示す概念図である。
【図１８】図１７のストップボタンにおける収容部の構成を示す図である。
【図１９】図１７のストップボタンにおける摺動性悪化軽減作用を説明するための概念図である。
【図２０】本発明の一実施形態の遊技機におけるＢＥＴボタンを示す図である。
【図２１】図２０のＢＥＴボタンの断面構造を示す概念図である。
【図２２】本発明の一実施形態の遊技機における別の例のＢＥＴボタンの断面構造を示す概念図である。
【図２３】本発明の一実施形態の遊技機における他の例のＢＥＴボタンの断面構造を示す概念図である。
【図２４】本発明の一実施形態の遊技機における演出ボタンの断面構造を示す概念図である。
【図２５】本発明の一実施形態の遊技機における別の例の演出ボタンの断面構造を示す概念図である。
【図２６】本発明の他の実施形態の遊技機における外観構成を示す斜視図である。
【発明を実施するための形態】
【００２０】
本発明の遊技機の実施の形態を示すパチスロについて、図１〜図１３を参照しながら説明する。はじめに、図１を参照して、遊技機の実施の形態に係る機能フローについて説明する。
【００２１】
本実施の形態のパチスロでは、遊技を行うための遊技媒体としてメダルを用いる。なお、遊技媒体としては、メダル以外にも、コイン、遊技球、遊技用のポイントデータ又はトークン等を適用することもできる。
【００２２】
遊技者によりメダルが投入され、スタートレバーが操作されると、予め定められた数値の範囲（例えば、０〜６５５３５）の乱数から１つの値（以下、乱数値）が抽出される。
【００２３】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２４】
また、スタートレバーが操作されると、複数のリールの回転が行われる。その後、遊技者によりストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００２５】
パチスロでは、基本的に、ストップボタンが押されたときから規定時間（１９０ｍｓｅｃ）内に、該当するリールの回転を停止する制御が行われる。本実施の形態では、上記規定時間内にリールの回転に伴って移動する図柄の数を「滑り駒数」と呼び、その最大数を図柄４個分に定める。
【００２６】
リール停止制御手段は、入賞に係る図柄の組合せの表示を許可する内部当籤役が決定されているときは、上記規定時間を利用して、その図柄の組合せが入賞判定ラインに沿って極力表示されるようにリールの回転を停止する。また、リール停止制御手段は、上記規定時間を利用して、内部当籤役によってその表示が許可されていない図柄の組合せが入賞判定ラインに沿って表示されないようにリールの回転を停止する。
【００２７】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞に係るものであるとの判定が行われると、メダルの払い出し等の特典が遊技者に与えられる。以上のような一連の流れがパチスロにおける１回の遊技として行われる。
【００２８】
また、パチスロでは、前述した一連の流れの中で、液晶表示装置などの表示装置により行う映像の表示、各種ランプにより行う光の出力、スピーカにより行う音の出力、或いはこれらの組合せを利用して様々な演出が行われる。
【００２９】
スタートレバーが操作されると、前述の内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００３０】
演出内容が決定されると、演出実行手段は、リールの回転が開始されるとき、各リールの回転がそれぞれ停止されるとき、入賞の有無の判定が行われたとき等の各契機に連動させて演出の実行を進める。この演出実行手段は、後述する副制御回路が担う。このように、パチスロでは、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００３１】
＜パチスロの構造＞
次に、図２〜図６を参照して、一実施形態におけるパチスロ１の構造について説明する。
【００３２】
［外観構造］
図２は、パチスロ１の外部構造を示す斜視図である。
【００３３】
パチスロ１の外装体２は、リールや回路基板等を収容するキャビネット２ａと、キャビネット２ａに対して開閉可能に取り付けられるフロントドア２ｂとを有している。キャビネット２ａの両側面には、把手７が設けられている。この把手７は、パチスロ１を運搬するときに手をかける凹部である。
【００３４】
キャビネット２ａの内部には、３つのリール３Ｌ，３Ｃ，３Ｒが横並びに設けられている。リール３Ｌは、キャビネット２ａを前方から視て左側に配置され、リール３Ｃは、中央に配置されている。そして、リール３Ｒは、キャビネットを前方から視て右側に配置されている。各リール３Ｌ，３Ｃ，３Ｒは、円筒状に形成されたリール本体と、リール本体の周面に装着された透光性のシート材を有している。シート材の表面には、複数（例えば２１個）の図柄が周方向に沿って所定の間隔をあけて描かれている。
【００３５】
フロントドア２ｂの中央よりも上側には、上パネルユニット１０と、液晶表示装置１１が設けられている。上パネルユニット１０は、フロントドア２ｂの上部を形成している。この上パネルユニット１０は、光源を有しており、光源から出射される光による演出を実行する。液晶表示装置１１は、上パネルユニット１０の下側に配置されており、映像の表示による演出を実行する。
【００３６】
フロントドア２ｂの中央には、台座部１２が形成されている。この台座部１２には、図柄表示領域４と、遊技者による操作の対象となる各種装置が設けられている。
【００３７】
図柄表示領域４は、正面から見て３つのリール３Ｌ，３Ｃ，３Ｒに重畳する手前側に配置されており、３つのリール３Ｌ，３Ｃ，３Ｒに対応して設けられている。この図柄表示領域４は、表示窓としての機能を果たすものであり、その背後に設けられた各リール３Ｌ，３Ｃ，３Ｒを透過することが可能な構成になっている。以下、図柄表示領域４を、リール表示窓４という。
【００３８】
リール表示窓４は、その背後に設けられたリール３Ｌ，３Ｃ，３Ｒの回転が停止されたとき、各リール３Ｌ，３Ｃ，３Ｒの複数種類の図柄のうち、その枠内における上段、中段及び下段の各領域にそれぞれ１個の図柄（合計で３個）を表示する。本実施の形態では、リール表示窓４の各リール３Ｌ，３Ｃ，３Ｒに対向する上段、中段及び下段からなる３つの領域のうち予め定められたいずれかをそれぞれ組合せてなる擬似的なラインを、入賞か否かの判定を行う対象となるライン（入賞判定ライン）として定義する。
【００３９】
リール表示窓４は、台座部１２に設けられた枠部材１３により形成されている。この枠部材１３は、リール表示窓４と、情報表示窓１４と、操作部１５を有している。
【００４０】
情報表示窓１４は、リール表示窓４の下部に連続して設けられており、上方に向かって開口している。すなわち、リール表示窓４と情報表示窓１４は、連続する１つの開口部として形成されている。この情報表示窓１４及びリール表示窓４は、透明の窓カバー１６によって覆われている。
【００４１】
窓カバー１６は、枠部材１３の内面側に配置されており、フロントドア２ｂの前面側から取り外し不可能になっている。また、枠部材１３は、窓カバー１６を挟んで情報表示窓１４の開口に対向するシート載置部１７を有している。そして、シート載置部１７と窓カバー１６との間には、遊技に関する情報が記載されたシート部材（情報シート）が配置されている。したがって、情報シートは、凹凸や隙間の無い滑らかな表面を有する窓カバー１６により覆われている。
【００４２】
情報シートの取付部を構成する窓カバー１６は、フロントドア２ｂの前面側から取り外し不可能であり、凹凸や隙間の無い滑らかな表面であるため、情報シートの取付部を利用して、パチスロ１の内部にアクセスする不正行為を防ぐことができる。
なお、情報シートの交換については、後で図４を参照して説明する。
【００４３】
本実施の形態では、リール表示窓４と情報表示窓１４を、連続する１つの開口部として形成した。しかし、本発明の遊技機に係る情報表示窓は、リール表示窓の下方に設けられていればよく、リール表示窓に連続していなくてもよい。すなわち、本発明の遊技機に係るリール表示窓と情報表示窓は、上下方向に並ぶ２つの開口部として形成してもよい。
【００４４】
操作部１５は、情報表示窓１４の下方に設けられている。操作部１５は、ストップボタン（押圧体）１９Ｌ，１９Ｃ，１９Ｒを有している。ストップボタン１９Ｌは、キャビネット２ａを前方から視て左側に配置され、ストップボタン１９Ｃは、中央に配置されている。そして、ストップボタン１９Ｒは、キャビネット２ａを前方から視て右側に配置されている。ストップボタン１９Ｌはリール３Ｌに対応づけられ、ストップボタン１９Ｃはリール３Ｃに対応づけられている。また、ストップボタン１９Ｒはリール３Ｒに対応づけられている。これらストップボタン１９Ｌ，１９Ｃ，１９Ｒは、対応するリールの回転を停止するために遊技者によって押圧される。以下、ストップボタン１９Ｌ，１９Ｃ，１９Ｒを、ストップボタン１９と総称する場合がある。
【００４５】
ストップボタン１９Ｌ，１９Ｃ，１９Ｒは、遊技者による操作の対象となる各種装置の一例を示す。また、台座部１２には、遊技者による操作の対象となる各種装置として、メダル投入口２１、ベットボタン（以下、ＢＥＴボタンという）２２、スタートレバー２３が設けられている。なお、操作部１５及びストップボタン１９Ｌ，１９Ｃ，１９Ｒの詳細は後述する。
【００４６】
メダル投入口２１は、遊技者によって外部から投下されるメダルを受け入れるために設けられる。メダル投入口２１に受け入れられたメダルは、予め定められた規定数を上限として１回の遊技に投入されることとなり、規定数を超えた分はパチスロ１の内部に預けることが可能となる（いわゆるクレジット機能）。
【００４７】
ＢＥＴボタン２２は、パチスロ１の内部に預けられているメダルから１回の遊技に投入する枚数を決定するために設けられる。スタートレバー２３は、全てのリール（３Ｌ，３Ｃ，３Ｒ）の回転を開始するために設けられる。
【００４８】
また、正面から見てリール表示窓４の左側方には、７セグメントＬＥＤ（Light Emitting Diode）からなる７セグ表示器２４が設けられている。この７セグ表示器２４は、特典として遊技者に対して払い出すメダルの枚数（以下、払出枚数）、パチスロ内部に預けられているメダルの枚数（以下、クレジット枚数）等の情報をデジタル表示する。
【００４９】
台座部１２の両側には、サイドパネルユニット２６Ｌ，２６Ｒが設けられている。このサイドパネルユニット２６Ｌ，２６Ｒは、それぞれ光源を有しており、光源から出射される光による演出を実行する。また、サイドパネルユニット２６Ｌの下方には、精算ボタン２７が設けられている。この精算ボタン２７は、パチスロ１の内部に預けられているメダルを外部に引き出すために設けられる。
【００５０】
台座部１２の下方には、腰部パネルユニット３１が設けられている。腰部パネルユニット３１は、任意の画像が描かれた装飾パネルと、この装飾パネルを背面側から照明するための光を出射する光源を有している。
【００５１】
腰部パネルユニット３１の下方には、メダル払出口３２と、スピーカ用孔３３Ｌ，３３Ｒと、メダルトレイユニット３４が設けられている。メダル払出口３２は、後述のホッパー装置５１の駆動により排出されるメダルを外部に導く。メダル払出口３２から排出されたメダルは、メダルトレイユニット３４に貯められる。スピーカ用孔３３Ｌ，３３Ｒは、演出内容に応じた効果音や楽曲等の音を出力するために設けられている。
【００５２】
また、図柄表示領域４の右側には液晶表示装置１１での演出実行中に何らかの介入操作を行う演出ボタン１２１が設けられ、図柄表示領域４の左側には液晶表示装置１１に表示されるメニューを選択する選択ボタン１２２、選択したメニューの決定を指示する決定ボタン１２３が設けられている。演出ボタン１２１は後で図２４、図２５を参照して説明するように、フロントドア２ｂの前面に対して斜め下方の角度で摺動可能に取り付けられている。選択ボタン１２２、決定ボタン１２３も演出ボタン１２１と同様にフロントドア２ｂの前面に取り付けられている。
【００５３】
［内部構造］
図３及び図４は、パチスロ１の内部構造を示す斜視図である。この図３では、フロントドア２ｂが開放され、フロントドア２ｂの裏面側に設けられたミドルドア４１がフロントドア２ｂに対して閉じた状態を示している。また、図４では、フロントドア２ｂが開放され、ミドルドア４１がフロントドア２ｂに対して開いた状態を示している。また、図５は、キャビネット２ａの内部を示す説明図である。図６は、フロントドア２ｂの裏面側を示す説明図である。
【００５４】
キャビネット２ａは、上面板２０ａと、底面板２０ｂと、左右の側面板２０ｃ，２０ｄと、背面板２０ｅを有している（図５参照）。キャビネット２ａ内部の上側には、キャビネット側スピーカ４２が配設されている。このキャビネット側スピーカ４２は、取付ブラケット４３Ｌ，４３Ｒを介してキャビネット２ａの背面板２０ｅに取り付けられている。キャビネット側スピーカ４２は、例えば、効果音を出力するためのスピーカである。
【００５５】
キャビネット２ａ内部を正面から見て、キャビネット側スピーカ４２の左側方には、キャビネット側中継基板４４が配設されている。このキャビネット側中継基板４４は、キャビネット２ａの左側面板２０ｃに取り付けられている。キャビネット側中継基板４４は、ミドルドア４１（図３及び図４参照）に取り付けられた後述する主制御基板７１（図７参照）と、ホッパー装置５１、遊技メダル補助収納庫スイッチ（不図示）、メダル払出カウントスイッチ（不図示）とを接続する配線の中継を行う。
【００５６】
キャビネット２ａ内部の中央部には、キャビネット側スピーカ４２による音の出力を制御するアンプ基板４５が配設されている。このアンプ基板４５は、左右の側面板２０ｃ，２０ｄに固定された取付棚４６に取り付けられている。
【００５７】
また、キャビネット２ａ内部を正面から見て、アンプ基板４５の右側には、外部集中端子板４７が配設されている。この外部集中端子板４７は、キャビネット２ａの右側面板２０ｄに取り付けられている。外部集中端子板４７は、メダル投入信号、メダル払出信号及びセキュリティー信号などの信号をパチスロ１の外部へ出力するために設けられている。
【００５８】
キャビネット２ａ内部を正面から見て、アンプ基板４５の左側には、サブ電源装置４８が配設されている。このサブ電源装置４８は、キャビネット２ａの左側面板２０ｃに取り付けられている。サブ電源装置４８は、交流電圧１００Ｖの電力を後述する電源装置５３に供給する。また、交流電圧１００Ｖの電力を直流電圧の電力に変換して、アンプ基板４５に供給する。
【００５９】
キャビネット２ａの内部の下側には、ホッパー装置５１と、メダル補助収納庫５２と、電源装置５３が配設されている。
【００６０】
ホッパー装置５１は、キャビネット２ａにおける底面板２０ｂの中央部に取り付けられている。このホッパー装置５１は、多量のメダルを収容可能で、それらを１枚ずつ排出可能な構造を有する。ホッパー装置５１は、貯留されたメダルが例えば５０枚を超えたとき、又は精算ボタンが押圧されてメダルの精算を行うときに、メダルを払い出す。ホッパー装置５１によって払い出されたメダルは、メダル払出口３２（図２参照）から排出される。
【００６１】
メダル補助収納庫５２は、ホッパー装置５１から溢れ出たメダルを収納する。このメダル補助収納庫５２は、キャビネット２ａ内部を正面から見て、ホッパー装置５１の右側に配置されている。メダル補助収納庫５２は、キャビネット２ａの底面板２０ｂに係合されており、底面板２０ｂに対して着脱可能に構成されている。
【００６２】
電源装置５３は、電源スイッチ５３ａと、電源基板５３ｂを有している（図７参照）。この電源装置５３は、キャビネット２ａ内部を正面から見て、ホッパー装置５１の左側に配置されており、左側面板２０ｃに取り付けられている。電源装置５３は、サブ電源装置４８から供給された交流電圧１００Ｖの電力を各部で必要な直流電圧の電力に変換して、変換した電力を各部へ供給する。
【００６３】
図３，図４及び図６に示すように、ミドルドア４１は、フロントドア２ｂの裏面における中央部に配置され、リール表示窓４（図４参照）を裏側から開閉可能に構成されている。ミドルドア４１の上部と下部には、ドアストッパ４１ａ，４１ｂ，４１ｃが設けられている。このドアストッパ４１ａ，４１ｂ，４１ｃは、リール表示窓４を裏側から閉じた状態のミドルドア４１の開動作を固定（禁止）する。すなわち、ミドルドア４１を開くには、ドアストッパ４１ａ，４１ｂ，４１ｃを回転させてミドルドア４１の固定を解除する必要がある。
【００６４】
ミドルドア４１には、主制御基板７１（図７参照）を収納した主制御基板ケース５５と、３つのリール３Ｌ，３Ｃ，３Ｒが取り付けられている。３つのリール３Ｌ，３Ｃ，３Ｒには、所定の減速比をもったギアを介してステッピングモータが接続されている。
【００６５】
図４に示すように、ミドルドア４１を開くと、窓カバー１６の裏面とシート載置部１７が露出される。上述したように、窓カバー１６の裏面とシート載置部１７との間には、遊技に関する情報が記載された情報シートが配置されている。この情報シートは、ミドルドア４１を開いて窓カバー１６の裏面とシート載置部１７を露出させた状態で、窓カバー１６の裏面とシート載置部１７との間に形成された間隙に挿入される。また、情報シートを交換する場合も、ミドルドア４１を開いてから情報シートの交換作業が行われる。
【００６６】
主制御基板ケース５５には、設定用鍵型スイッチ５６が設けられている。この設定用鍵型スイッチ５６は、パチスロ１の設定を変更もしくはパチスロ１の設定の確認を行うときに使用する。
本実施の形態では、主制御基板ケース５５と、この主制御基板ケース５５に収納された主制御基板７１により、主制御基板ユニットが構成されている。
【００６７】
主制御基板ケース５５に収納された主制御基板７１は、後述する主制御回路９１（図８参照）を構成する。主制御回路９１は、内部当籤役の決定、リール３Ｌ，３Ｃ，３Ｒの回転及び停止、入賞の有無の判定といった、パチスロ１における遊技の主な流れを制御する回路である。主制御回路９１の具体的な構成は後述する。
【００６８】
ミドルドア４１の上方には、副制御基板７２（図７参照）を収容する副制御基板ケース５７が配設されている。副制御基板ケース５７に収納された副制御基板７２は、副制御回路１０１（図９参照）を構成する。この副制御回路１０１は、映像の表示等による演出の実行を制御する回路である。副制御回路１０１の具体的な構成は後述する。
【００６９】
副制御基板ケース５７の上方には、センタースピーカ５８が配設されている。そして、フロントドア２ｂを裏面側から見て、センタースピーカ５８の左側方には、ファン５９が配設されている。つまり、ファン５９は、フロントドア２ｂの裏面側における上部に配設されている。このファン５９は、下向きに空気を送風し、パチスロ１の内部を空冷する。
【００７０】
フロントドア２ｂを裏面側から見て、副制御基板ケース５７の右側方には、副中継基板６１が配設されている。この副中継基板６１は、副制御基板７２と主制御基板７１とを接続する配線を中継する。また、副制御基板７２と副制御基板７２の周辺に配設された基板とを接続する配線を中継する基板である。なお、副制御基板７２の周辺に配設される基板としては、後述するＬＥＤ基板６２Ａ，６２Ｂが挙げられる。
【００７１】
ＬＥＤ基板６２Ａ，６２Ｂは、フロントドア２ｂの裏面側から見て、副制御基板ケース５７の上方に配設されている。これらＬＥＤ基板６２Ａ，６２Ｂは、副制御回路１０１（図８参照）の制御により実行される演出に応じて、光源の一具体例を示すＬＥＤ（Light Emitting Diode）８５（図７参照）を発光させて、点滅パターンを表示する。なお、本実施の形態のパチスロ１には、ＬＥＤ基板６２Ａ，６２Ｂ以外に複数のＬＥＤ基板を備えている。
【００７２】
副中継基板６１の下方には、２４ｈドア開閉監視ユニット６３が配設されている。この２４ｈドア開閉監視ユニット６３は、ミドルドア４１の開閉の履歴を保存する。また、ミドルドア４１を開放したときに、液晶表示装置１１にエラー表示を行うための信号を副制御基板７２（副制御回路１０１）に出力する。
【００７３】
ミドルドア４１の下方には、ボードスピーカ６４と、下部スピーカ６５Ｌ，６５Ｒが配設されている。ボードスピーカ６４は、腰部パネルユニット３１（図２参照）に対向しており、下部スピーカ６５Ｌ，６５Ｒは、それぞれスピーカ用孔３３Ｌ，３３Ｒ（図２参照）に対向している。
【００７４】
下部スピーカ６５Ｌの上方には、セレクタ６６と、ドア開閉監視スイッチ６７が配設されている。セレクタ６６は、メダルの材質や形状等が適正であるか否かを選別する装置であり、メダル投入口２１に投入された適正なメダルをホッパー装置５１へ案内する。セレクタ６６内においてメダルが通過する経路上には、適正なメダルが通過したことを検出するメダルセンサ（不図示）が設けられている。
【００７５】
ドア開閉監視スイッチ６７は、フロントドア２ｂを裏面側から見て、セレクタ６６の左側方に配置されている。このドア開閉監視スイッチ６７は、パチスロ１の外部へ、フロントドア２ｂの開閉を報知するためのセキュリティー信号を出力する。
【００７６】
また、リール表示窓４の下方であってミドルドア４１により開閉される領域には、ドア中継端子板６８が配設されている（図４参照）。このドア中継端子板６８は、主制御基板ケース５５内の主制御基板７１（図７参照）と、各種のボタンやスイッチ、副制御基板７２（図７参照）、セレクタ６６及び遊技動作表示基板８１（図７参照）との配線を中継する基板である。なお、各種のボタン及びスイッチとしては、例えば、ＢＥＴボタン２２、精算ボタン２７、演出ボタン１２１、選択ボタン１２２、決定ボタン１２３、ドア開閉監視スイッチ６７、後述するＢＥＴスイッチ７７、演出スイッチ１２１５、選択スイッチ１２２５、決定スイッチ１２３５、スタートスイッチ７９等を挙げることができる。
【００７７】
＜パチスロ１が備える制御系＞
次に、パチスロ１が備える制御系について、図７を参照して説明する。
図７は、パチスロ１の制御系を示すブロック図である。
【００７８】
パチスロ１は、ミドルドア４１に配設された主制御基板７１と、フロントドア２ｂに配設された副制御基板７２を有している。
主制御基板７１には、リール中継端子板７４と、設定用鍵型スイッチ５６と、外部集中端子板４７と、ホッパー装置５１と、メダル補助収納庫スイッチ７５と、電源装置５３の電源基板５３ｂが接続されている。設定用鍵型スイッチ５６、外部集中端子板４７、ホッパー装置５１及びメダル補助収納庫スイッチ７５は、キャビネット側中継基板４４を介して主制御基板７１に接続されている。外部集中端子板４７及びホッパー装置５１については、上述したため、説明を省略する。
【００７９】
リール中継端子板７４は、各リール３Ｌ，３Ｃ，３Ｒのリール本体の内側に配設されている。このリール中継端子板７４は、各リール３Ｌ，３Ｃ，３Ｒのステッピングモータ（不図示）に電気的に接続されており、主制御基板７１からステッピングモータに出力される信号を中継する。
【００８０】
メダル補助収納庫スイッチ７５は、メダル補助収納庫５２の後述するスイッチ貫通孔を貫通している。このメダル補助収納庫スイッチ７５は、メダル補助収納庫５２がメダルで満杯になっているか否かを検出する。
【００８１】
電源装置５３の電源基板５３ｂには、電源スイッチ５３ａが接続されている。この電源スイッチ５３ａは、パチスロ１に必要な電源を供給するときにＯＮにする。
【００８２】
また、主制御基板７１には、ドア中継端子板６８を介して、セレクタ６６、ドア開閉監視スイッチ６７、ＢＥＴスイッチ７７、精算スイッチ７８、スタートスイッチ７９、演出スイッチ１２１５、選択スイッチ１２２５、決定スイッチ１２３５、ストップスイッチ基板（基板）４００、遊技動作表示基板８１及び副中継基板６１が接続されている。セレクタ６６、ドア開閉監視スイッチ６７及び副中継基板６１については、上述したため、説明を省略する。
【００８３】
ＢＥＴスイッチ７７は、ＢＥＴボタン２２が遊技者により押されたことを検出する。精算スイッチ７８は、精算ボタン２７が遊技者により押されたことを検出する。スタートスイッチ７９は、スタートレバー２３が遊技者により操作されたこと（開始操作）を検出する。演出スイッチ１２１５、選択スイッチ１２２５、決定スイッチ１２３５は、それぞれ、演出ボタン１２１、選択ボタン１２２、決定ボタン１２３が遊技者により操作されたことを検出する。
【００８４】
ストップスイッチ基板４００は、回転しているリールを停止させるための回路と、停止可能なリールをＬＥＤなどにより表示するための回路を構成する基板である。ストップスイッチ基板４００には、各ストップボタン１９Ｌ，１９Ｃ，１９Ｒに対応づけられた３つのＬＥＤ（Light Emitting Diode）４１０及び３つのフォトセンサ（光学センサ）４２０が実装されている。フォトセンサ４２０は、各ストップボタン１９Ｌ，１９Ｃ，１９Ｒが押圧されていないときはハイレベルの信号を出力し、各ストップボタン１９Ｌ，１９Ｃ，１９Ｒが押圧されて後方へ所定距離移動したときはローレベルの信号（押圧検出信号）を出力する。
【００８５】
遊技動作表示基板８１は、メダルの投入を受け付けるとき、３つのリール３Ｌ，３Ｃ，３Ｒが回動可能なとき及び再遊技を行うときに、投入されたメダルの枚数を７セグ表示器２４に表示させるための基板である。この遊技動作表示基板８１には、７セグ表示器２４とＬＥＤ８２が接続されている。ＬＥＤ８２は、例えば、遊技の開始を表示するマークや再遊技を行うマークなどを点灯させる。
【００８６】
副制御基板７２は、ドア中継端子板６８と副中継基板６１を介して主制御基板７１に接続されている。この副制御基板７２には、副中継基板６１を介して、サウンドＩ／Ｏ基板８４、ＬＥＤ基板６２Ａ，６２Ｂ、２４ｈドア開閉監視ユニット６３が接続されている。これらＬＥＤ基板６２Ａ，６２Ｂ及び２４ｈドア開閉監視ユニット６３については、上述したため、説明を省略する。
【００８７】
サウンドＩ／Ｏ基板８４は、センタースピーカ５８、ボードスピーカ６４、下部スピーカ６５Ｌ，６５Ｒ及びフロントドア２ｂに設けられた不図示のスピーカへの音声の出力を行う。
【００８８】
また、副制御基板７２には、ロムカートリッジ基板８６と、液晶中継基板８７が接続されている。これらロムカートリッジ基板８６及び液晶中継基板８７は、副制御基板７２と共に副制御基板ケース５７に収納されている。
ロムカートリッジ基板８６は、演出用の画像（映像）、音声、ＬＥＤ基板６２Ａ，６２Ｂ及びその他のＬＥＤ基板（不図示）、通信のデータを管理するための基板である。液晶中継基板８７は、副制御基板７２と液晶表示装置１１とを接続する配線を中継する基板である。
【００８９】
＜主制御回路＞
次に、主制御基板７１により構成される主制御回路９１について、図８を参照して説明する。
図８は、パチスロ１の主制御回路９１の構成例を示すブロック図である。
【００９０】
主制御回路９１は、主制御基板７１上に設置されたマイクロコンピュータ９２を主たる構成要素としている。マイクロコンピュータ９２は、メインＣＰＵ９３、メインＲＯＭ９４及びメインＲＡＭ９５により構成される。
【００９１】
メインＲＯＭ９４には、メインＣＰＵ９３により実行される制御プログラム、データテーブル、副制御回路１０１に対して各種制御指令（コマンド）を送信するためのデータ等が記憶されている。メインＲＡＭ９５には、制御プログラムの実行により決定された内部当籤役等の各種データを格納する格納領域が設けられる。
【００９２】
メインＣＰＵ９３には、クロックパルス発生回路９６、分周器９７、乱数発生器９８及びサンプリング回路９９が接続されている。クロックパルス発生回路９６及び分周器９７は、クロックパルスを発生する。メインＣＰＵ９３は、発生されたクロックパルスに基づいて、制御プログラムを実行する。乱数発生器９８は、予め定められた範囲の乱数（例えば、０〜６５５３５）を発生する。サンプリング回路９９は、発生された乱数の中から１つの値を抽出する。
【００９３】
メインＣＰＵ９３は、リールインデックスを検出してから各リール３Ｌ，３Ｃ，３Ｒのステッピングモータに対してパルスを出力した回数をカウントする。これにより、メインＣＰＵ９３は、各リール３Ｌ，３Ｃ，３Ｒの回転角度（主に、リールが図柄何個分だけ回転したか）を管理する。
なお、リールインデックスとは、リールが一回転したことを示す情報である。このリールインデックスは、例えば、発光部及び受光部を有する光センサと、各リール３Ｌ，３Ｃ，３Ｒの所定の位置に設けられ、各リール３Ｌ，３Ｃ，３Ｒの回転により発光部と受光部との間に介在される検知片を備えたリール位置検出部（不図示）により検出する。
【００９４】
ここで、各リール３Ｌ，３Ｃ，３Ｒの回転角度の管理について、具体的に説明する。ステッピングモータに対して出力されたパルスの数は、メインＲＡＭ９５に設けられたパルスカウンタによって計数される。そして、図柄１つ分の回転に必要な所定回数（例えば１６回）のパルスの出力がパルスカウンタで計数される毎に、メインＲＡＭ９５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【００９５】
つまり、本実施の形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００９６】
上述したように、本実施の形態では、滑り駒数の最大数を図柄４個分に定めている。したがって、ストップボタン１９Ｌが押されたときにリール表示窓４の中段にあるリール３Ｌの図柄と、その４個先の図柄までの範囲内にある各図柄が、リール表示窓４の中段に停止可能な図柄となる。
【００９７】
また、メインＣＰＵ９３は、ストップスイッチ基板４００のフォトセンサ４２０がハイレベルの信号を出力しているときは、ストップスイッチ基板４００のＬＥＤ４１０に、点灯を指示する点灯信号を出力する。一方、メインＣＰＵは、フォトセンサ４２０がローレベルの信号（押圧検知信号）を出力しているときは、ストップスイッチ基板４００のＬＥＤ４１０に、消灯を指示する消灯信号を送信する。
【００９８】
＜副制御回路＞
次に、副制御基板７２により構成される副制御回路１０１について、図９を参照して説明する。
図９は、パチスロ１の副制御回路１０１の構成例を示すブロック図である。
【００９９】
副制御回路１０１は、主制御回路９１と電気的に接続されており、主制御回路９１から送信されるコマンドに基づいて演出内容の決定や実行等の処理を行う。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【０１００】
サブＣＰＵ１０２は、主制御回路９１から送信されたコマンドに応じて、ロムカートリッジ基板８６に記憶されている制御プログラムに従い、映像、音、光の出力の制御を行う。ロムカートリッジ基板８６は、基本的に、プログラム記憶領域とデータ記憶領域によって構成される。
【０１０１】
プログラム記憶領域には、サブＣＰＵ１０２が実行する制御プログラムが記憶されている。例えば、制御プログラムには、主制御回路９１との通信を制御するための主基板通信タスクや、演出用乱数値を抽出し、演出内容（演出データ）の決定及び登録を行うための演出登録タスクが含まれる。また、決定した演出内容に基づいて液晶表示装置１１（図７参照）による映像の表示を制御する描画制御タスク、ＬＥＤ８５等の光源による光の出力を制御するランプ制御タスク、スピーカ５８，６４，６５Ｌ，６５Ｒ等のスピーカによる音の出力を制御する音声制御タスク等が含まれる。
【０１０２】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【０１０３】
サブＲＡＭ１０３は、決定された演出内容や演出データを登録する格納領域や、主制御回路９１から送信される内部当籤役等の各種データを格納する格納領域が設けられている。
【０１０４】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１に表示させる。
【０１０５】
また、サブＣＰＵ１０２は、演出内容により指定されたサウンドデータに従ってＢＧＭなどの音をスピーカ５８，６４，６５Ｌ，６５Ｒ等のスピーカにより出力させる。また、サブＣＰＵ１０２は、演出内容により指定されたランプデータに従ってＬＥＤ８５等の光源の点灯及び消灯を制御する。
【０１０６】
＜操作部１５＞
操作部１５について、図１０〜図１３を参照して説明する。なお、図１０〜図１３において、パチスロ１の前方を矢印Ｆ、後方を矢印Ｂ、左方を矢印Ｌ、右方を矢印Ｒ、上方を矢印Ｕ、下方を矢印Ｄで示す。
まず、図１０〜図１１を参照して、操作部１５の構成の概略を説明する。図１０は、操作部１５の斜視図である。なお、図１０においては、フロントドア２ｂの枠部材１３など操作部１５以外の部材の図示は省略している。図１１は、操作部１５の分解斜視図である。
【０１０７】
図１０及び図１１に示すように、操作部１５は、ストップボタン１９Ｌ，１９Ｃ，１９Ｒと、ストップボタン１９を前後方向に移動可能に収容する収容部３００と、を有している。また、操作部１５は、光源としてのＬＥＤ４１０及びフォトセンサ４２０が実装されているストップスイッチ基板４００（図１１参照）と、カバー部５００と、を有している。
【０１０８】
収容部３００は、略箱状の部材であり、内部にストップボタン１９とストップスイッチ基板４００を収容する。収容部３００は、前部材３１０と、後部材３５０の２部材で構成されている。
【０１０９】
図１１に示すように、ストップスイッチ基板４００は、横長の平板状に形成され、上下方向に略垂直な上面及び下面を有している。このストップスイッチ基板４００の左右両端部には、上下方向に貫通する嵌合孔４３０が設けられている。また、ストップスイッチ基板４００の上面には、ストップボタン１９Ｌ，１９Ｃ，１９Ｒに対応する３つのＬＥＤ４１０及び３つのフォトセンサ４２０が実装されている。
【０１１０】
ＬＥＤ４１０は、上方から視て略円形状に形成され、光を照射する発光部４１１と、ストップスイッチ基板４００にはんだ付けされる端子４１２と、を有している。図１１に示すように、フォトセンサ４２０は、発光ダイオード４２１とフォトダイオード４２２を有するフォトカプラである。発光ダイオード４２１とフォトダイオード４２２は、ストップスイッチ基板４００に固定された略Ｕ字状のブラケット４２３に支持されて、互いに対向するように配置されている。
【０１１１】
発光ダイオード４２１は所定光量の光を常に発光する。フォトダイオード４２２が所定光量以上の光を受光すると、フォトセンサ４２０は、ハイレベルの信号を出力する。一方、フォトダイオード４２２が受光する光の量が所定光量に満たないと、フォトセンサ４２０は、ローレベルの信号（押圧検知信号）を出力する。
【０１１２】
ストップボタン１９は、楕円の筒状に形成された筒部２００と、筒部２００の前方の開口を塞ぐ押圧部２２０と、光拡散フィルム２３０と、コイルバネ２４０と、で構成されている。
【０１１３】
押圧部２２０は、前方から視て楕円状の押圧面部２２１と、押圧面部２２１の周縁部から後方へ延びる側周部２２２と、を有する。側周部２２２の上部及び下部には、上下方向に貫通する係合孔２２３が形成されている。また、側周部２２２の後端部には、外側に突出する突条部２２４が係合孔２２３を挟んで２つ形成されている。突条部２２４は前方から視て半円弧状に形成されている。
【０１１４】
押圧部２２０の内側には、光拡散フィルム２３０が配置されている。光拡散フィルム２３０は、筒部２００の内部に配置されたＬＥＤ４１０からの光を拡散させて押圧面部２２１を均一に照らす。光拡散フィルム２３０は、光を十分に透過させる薄膜を形成し、且つ光の拡散度が高いフィルムを形成し得る材料、例えば、ポリアセタール樹脂や塩化ビニルによって形成されている。
【０１１５】
図１１に示すように、筒部２００の前部における上部及び下部には、押圧部２２０の側周部２２２における係合孔２２３に係合する係合部２０１が突出している。係合部２０１が係合孔２２３に係合することによって、押圧部２２０と筒部２００とが係合している。その他の筒部２００の構成については、後述する。コイルバネ２４０は、筒部２００と収容部３００の前部材３１０との間に挟持され、筒部２００を前方へ付勢する。
【０１１６】
カバー部５００は、略平板状の部材であり、収容部３００及びストップボタン１９を前方から覆う。カバー部５００は、ねじ５０５によって、収容部３００にねじ結合されている。
【０１１７】
前部材３１０は、前板部３１１と、枠部３１２と、を有している。前板部３１１と、枠部３１２は、一体的に形成されている。前板部３１１は、横長の平板状の部材であり、前面から視て略楕円状に後方へ凹む３つの凹部３１３Ｌ，３１３Ｃ，３１３Ｒが形成されている。凹部３１３Ｌは、前板部３１１の左側に形成され、凹部３１３Ｃは前板部３１１の中央に形成されている。そして、凹部３１３Ｒは、前板部３１１の右側に形成されている。以下、凹部３１３Ｌ，３１３Ｃ，３１３Ｒを凹部３１３と総称する場合がある。
【０１１８】
図１１及び図１３に示すように、凹部３１３は、前後方向に延びる筒状の大孔部３１４と小孔部３１５とを有している。大孔部３１４は、凹部３１３の前部を形成している。小孔部３１５は、大孔部３１４の後方で中心軸線が大孔部３１４の中心軸線と同軸になるように形成され、大孔部３１４よりも内径が小さい。また、凹部３１３は、大孔部３１４の後端部と小孔部３１５の前端部とを連結する段部３１６を有している。段部３１６は、前面から視て略楕円の円環状に形成されている。
【０１１９】
図１１に示すように、大孔部３１４の内周面には、複数の摩擦低減部３１７が所定の間隔を空けて設けられている。各摩擦低減部３１７は、大孔部３１４の内周面から略垂直に突出しており、前後方向に延びる突条に形成されている。摩擦低減部３１７は、ストップボタン１９と大孔部３１４との接触面積を減らして、ストップボタン１９が収容部３００内を移動する際に発生する摩擦力を低減する。
【０１２０】
小孔部３１５の側周部の下部には、上下方向に貫通する貫通孔３１９が形成されている。貫通孔３１９には、後述するようにＬＥＤ４１０が下方から挿入される。貫通孔３１９の径は、ＬＥＤ４１０から照射される光が貫通孔３１９を介して、小孔部３１５外に光が漏れないように、ＬＥＤ４１０の発光部４１１の径よりもわずかに大きく設定されている。
【０１２１】
図１２は、カバー部５００を後斜め上方から視た斜視図である。カバー部５００は、上述のように、略平板状の部材である。カバー部５００の左右両端部は、先端に向かうにつれて上下方向の長さが短くなるように形成されている。
【０１２２】
また、カバー部５００は、ストップボタン１９Ｌ，１９Ｃ，１９Ｒに対応して前後方向に貫通する貫通孔５０１Ｌ，５０１Ｃ，５０１Ｒが設けられている。貫通孔５０１Ｌは、カバー部５００を前方から視て左側に配置され、貫通孔５０１Ｃは、中央に配置されている。そして、貫通孔５０１Ｒは、カバー部５００を前方から視て右側に配置されている。以下、貫通孔５０１Ｌ，５０１Ｃ，５０１Ｒを貫通孔５０１と総称する場合がある。
【０１２３】
貫通孔５０１には、ストップボタン１９の押圧部２２０（図１１参照）が挿通する。貫通孔５０１の内径は、押圧部２２０の側周部２２２の外径よりもやや大きい。
【０１２４】
図１２に示すように、カバー部５００の後面における左右両端部には、係合片５０２と第１ボス部５０３がそれぞれ形成されている。係合片５０２は、フロントドア２ｂの枠部材１３（図２参照）に設けられた係合孔（図示省略）と係合する。また、第１ボス部５０３の内周面には、ねじ溝が形成されている。第１ボス部５０３は、フロントドア２ｂの枠部材１３にねじ結合する。
【０１２５】
また、カバー部５００の後面における貫通孔５０１Ｌと貫通孔５０１Ｃとの間、及び、貫通孔５０１Ｃと貫通孔５０１Ｒとの間には、後方へ延びる円筒状の第２ボス部５０４が形成されている。第２ボス部５０４の内周面には、ねじ溝（図示省略）が形成されている。
【０１２６】
図１０〜図１２で説明した各部の組み合わせによって操作部１５が形成される。具体的には、収容部３００の前部材３１０及びストップボタン１９を前方からカバー部５００で覆い、上記前部材３１０の後方所定位置に収容部３００の後部材３５０をセットしたうえで、カバー部５００と収容部３００とを後板部３５２を介してねじ５０５（図１１参照）でねじ結合することにより操作部１５として組み立てることができる。組み立てられた操作部１５は図１０に示す外観構造を有し、同図のＡ−Ａ線による矢視断面は図１３に示す構造を有する。
【０１２７】
図１３に示すように、操作部１５は、ストップボタン１９を含んでいる。ストップボタン１９は、カバー部５００と収容部３００の前部材３１０とで構成される筒状の部分（収容部）の内部に、筒部２００と押圧部２２０とを組み付けた押圧体が同図に矢印Ａ及びＢ方向に摺動可能な構造を有している。同様に、ＢＥＴボタン２２、演出ボタン１２１、選択ボタン１２２、決定ボタン１２３も、収容部の内部に押圧体を摺動可能に収容する構造を有している。以下の実施例で説明する各種操作ボタンは、特許請求の範囲の請求項に記載されている操作ボタンに該当し、ストップボタン１９、ＢＥＴボタン２２、演出ボタン１２１、選択ボタン１２２、決定ボタン１２３などの他の同様な構造を有するボタンを含むものである。
【０１２８】
上記押圧体の摺動を可能とするために該押圧体と収容部との間には隙間が形成される。この種の各種操作ボタンでは、発明が解決しようとする課題の欄でも述べたように、上記隙間からの飲料や食べ物などの異物混入が繰り返し行われると、付着物として蓄積されて隙間を塞ぎ、摺動性の悪化に繋がる可能性がある。
【０１２９】
本実施の形態に係る各種操作ボタンにおいては、上述した付着物の蓄積による摺動性の悪化を軽減するために、押圧体の周面と収容部の周面とで形成される摺動面の所定領域に前記隙間部から混入する混入物を退避させることにより押圧体と収容部間の癒着を回避可能な窪み部を有する構造としている。ここで、窪み部の配設位置については、押圧体の周面と収容部の周面とで形成される摺動面の所定領域に設けるという条件が適用される。また、窪み部の深さについては、該窪み部を形成する押圧体または収容部の厚みよりも浅い深さとする必要がある。
【０１３０】
ここで、上記摺動面とは、当該各種操作ボタンの操作、未操作の場合においても常に互いに対面している面を指すものであり、押圧体の周面側と収容部の周面側の双方に存在することになる。したがって、上記摺動面の所定位置に上記窪みを設ける構造は、押圧体の周面と収容部の周面の少なくともいずれか一方に上記窪みを設ける構造といえる。
【０１３１】
なお、上記付着物（図１６（ｂ）、図１９（ｂ）、図２１（ｂ）、図２２（ｂ）、図２４（ｂ）及び図２５（ｂ）に符号Ｄｓで示す）としては、糖分を含む飲料や食べ物、ジェル状のもの、塵や埃などの浮遊物などの混入物が考えられるが、実施例では主に飲料を例に挙げて説明を行い、飲料などの混入物が押圧体と収容部間とにより形成される隙間（空間）に入り込んだものとして説明を行う。
【０１３２】
以下、ストップボタン１９、ＢＥＴボタン２２、演出ボタン１２１、選択ボタン１２２、決定ボタン１２３を含む各種操作ボタンの構造及び摺動性の悪化軽減作用について説明する。
【０１３３】
＜各種操作ボタンの摺動性悪化を軽減するための構造＞
（ストップボタン１９、１９Ａ）
まず、ストップボタン１９の摺動性悪化軽減構造について、図１３を参照して説明する。図１３に示す断面構造からも分かるように、パチスロ１の操作部１５において、ストップボタン１９は、押圧面部２２１を有する押圧部２２０が、カバー部５００の貫通孔５０１に挿通されるとともに、押圧部２２０の後方部分が筒部２００に結合されている。
【０１３４】
ストップボタン１９の押圧部２２０及び筒部２００はコイルバネ２４０によって矢印Ｂ方向に付勢されており、連結部２０４がカバー部５００の貫通孔５０１の外周部分に当接される状態で停止している。
【０１３５】
この状態から、遊技者がストップボタン１９の押圧部２２０の押圧面部２２１を矢印Ａ方向に押すと、押圧部２２０及び筒部２００がコイルバネ２４０の付勢力に抗して矢印Ａ方向に移動する。押圧面部２２１をさらに押し続けると矢印Ａ方向への移動が継続し、筒部２００の連結部２０４の面と対面となる収容部３００の前部材３１０に形成される段部３１６の面に当接される位置でそれ以上の移動が規制される。
【０１３６】
このように、ストップボタン１９は、押圧部２２０がカバー部５００の貫通孔５０１内を矢印Ａ及びＢの双方向に摺動可能である。この摺動を可能とするために、貫通孔５０１の内径は押圧部２２０の側周部２２２の外径よりもやや大きく構成され、貫通孔５０１と押圧部２２０の側周部２２２との間に隙間が形成されている。
【０１３７】
本実施形態に係るストップボタン１９は、図１３に示すように、カバー部５００の貫通孔５０１に対して上記隙間を挟んで対向する押圧部２２０の側周部２２２に、複数の窪み部２２５が形成されている。窪み部２２５は、上記隙間の容量を広くしかつ飲料や食べ物等の混入物を退避させるために設けられている。図１３の例では、窪み部２２５は、押圧部２２０の側周部２２２の上方部分の一定領域内にドット状に配置された複数の窪みにより形成されている。
【０１３８】
図１４は、本実施形態のパチスロ１におけるストップボタン１９の断面構造（図１３参照）を示す概念図である。
図１４において、ストップボタン１９の収容部７００は、図１３におけるカバー部５００と収容部３００の前部材３１０とを一体化した構造に相当する。ここで、図１３におけるカバー部５００の貫通孔５０１に相当する部分を内周面７０１と呼称し、図１３における収容部の３００の段部３１６に当たる部分を段部７１６と呼称するものとする。また、図１４において、押圧体２２０Ａは、図１３における押圧体２２０と筒部２００を一体化したものに相当する。
【０１３９】
図１４に示すように、本実施形態のストップボタン１９は、収容部７００の内部に、押圧体２２０Ａを、コイルバネ２４０の付勢力を利用して矢印Ａ方向及びＢ方向に摺動可能に収容して構成されている。
【０１４０】
図１４において、ストップボタン１９は、押圧体２２０Ａと収容部７００の間に隙間部８００が形成され、押圧体２２０Ａがコイルバネ２４０により同図左側の方向へ付勢され、押圧体２２０Ａが連結部２０４の前側端部が収容部７００の内周面７０１の後側端部に当接される位置、すなわち、初期位置にある。上記初期位置で押圧体２２０Ａの押圧面部２２１を矢印Ａ方向に押すと、押圧体２２０Ａがコイルバネ２４０の付勢力に抗して矢印Ａ方向に移動し、連結部２０４の後側端部が収容部７００の段部７１６に当接されることによりそれ以上の移動が規制される。
【０１４１】
ここで押圧面部２２１を押すことを止めると押圧体２２０Ａがコイルバネ２４０の付勢力によって矢印Ｂ方向に摺動して上述した初期位置に戻る。このように、ストップボタン１９は、押圧体２２０Ａを、該押圧体２２０Ａの連結部２０４の前側端部が収容部７００の内周面７０１の後側端部に当接される位置と、連結部２０４の後側端部が収容部７００の段部７１６に当接される位置との間を往復可能に摺動させる構造となっている。
【０１４２】
押圧体２２０Ａの側周部２２２には、複数の窪み部２２５が設けられている。この窪み部２２５は、上述したように例えばドット状に配置された複数の窪みにより構成される。
【０１４３】
図１５は、図１４におけるストップボタン１９の押圧体２２０Ａの構造を示す図であり、同図（ａ）は正面図であり、同図（ｂ）は同図（ａ）の右側面図である。図１５に示すように、ストップボタン１９は、収容部７００の内周面７０１に対向する押圧体２２０Ａの側周部２２２に複数の窪み部２２５が形成されている。窪み部２２５は、例えば円形の開口を有する窪みがドット状に配置されたものである。
【０１４４】
ここで、押圧体２２０Ａは図１５（ａ）の正面視において楕円形の形状を有する。このストップボタン１９において、窪み部２２５は、押圧体２２０Ａの周方向には上記楕円形の中心軸ｃａ１を基準にして上半周の領域以内に設けられる。なお、押圧体２２０Ａの周方向の窪み部２２５の配設領域についてはこれに限らず例えば押圧体２２０Ａを周回するように設けることもできる。これに対し、押圧体２２０Ａの軸方向については、図１５（ｂ）に示すように、上記窪み部２２５は、押圧体２２０Ａの側周部２２２における収容部７００の内周面７０１との摺動面の所定領域に設けられる。
【０１４５】
ストップボタン１９における摺動性悪化軽減作用について図１６を参照して説明する。
図１６（ａ）は、収容部７００の内周面７０１と押圧体２２０Ａの側周部２２２間の隙間部８００から飲料Ｄｌが矢印ｃ１に示すように混入する状況を示している。この場合、混入した飲料Ｄｌは窪み部２２５に達してその中に入り込む。つまり、上記状況で混入した飲料Ｄｌは窪み部２２５へと入り込んで退避される。
【０１４６】
図１６（ａ）に示すように、混入した飲料Ｄｌが窪み部２２５へと退避され、時間が経過すると、該飲料Ｄｌは、図１６（ｂ）に示すように、糖分が乾燥して付着物Ｄｓとなる。同様に、食べ物や塵あるいは埃などの混入物が上記隙間部８００から混入した場合も、これらが窪み部２２５へと退避されて付着物Ｄｓとなる。このように、付着物Ｄｓは、糖分を含む飲料や食べ物、塵や埃などの浮遊物などで形成される押圧体２２０Ａの側周部２２２の表面や収容部７００の内周面７０１の表面に付着した付着量の増加により発生するものである。
【０１４７】
このような本実施例の形態によると、ストップボタン１９は、押圧体２２０Ａの側周部２２２に窪み部２２５を設けているので、押圧体２２０Ａと収容部７００間で形成される隙間部８００の空間容量の拡張作用を促し、飲料などの混入物を窪み部２２５へと退避させることで該混入物による押圧体２２０Ａと収容部７００間の癒着を回避し易い空間を形成できるようになる。したがって、ストップボタン１９の摺動性の動作状態の悪化を軽減させるとともに比較的長期間化させ、防ぐことが可能となる。
【０１４８】
図１７は、本実施形態のパチスロ１における別の例のストップボタン１９Ａの断面構造を示す概念図である。図１８は、図１７のストップボタン１９Ａにおける収容部７００Ａの構成を示す図である。図１７に示すように、ストップボタン１９Ａは、収容部７００Ａと押圧体２２０Ａ間に隙間部８００が設けられ、収容部７００Ａの内部に、押圧体２２０Ａを、コイルバネ２４０の付勢力を利用して矢印Ａ方向及びＢ方向に摺動可能に収容して構成されている。
【０１４９】
ストップボタン１９Ａにおいて、収容部７００Ａの内周面７０１には複数の窪み部７１５が設けられている。この窪み部７１５は、例えば上述した窪み部２２５と同様にドット状に配置された複数の窪みにより構成される。
【０１５０】
ここで、収容部７００Ａの内周面７０１は、押圧体２２０Ａを収容可能にすべく図１７の左側面からの正面視において楕円形の形状を有する。このストップボタン１９Ａにおいて、窪み部７１５は、上記楕円形の中心軸ｃａ２（図１８参照）から収容部７００Ａに向かって内周面７０１に開口を有する凹部形状となるように設けられている。つまり、窪み部７１５は中心軸ｃａ２から収容部７００Ａに向かって延びる所定の深さを有する筒型形状の溝により形成される。特に、この例において、窪み部７１５は、収容部７００Ａの内周面７０１の周方向には上記楕円形の中心軸ｃａ２を基準にして下半周の領域内に設けられている。なお、収容部７００Ａの内周面７０１における窪み部７１５の周方向の配設領域についてはこれに限らず例えば内周面７０１の表面を周回するように設けることもできる。
【０１５１】
これに対し、収容部７００Ａの軸方向については、図１７及び図１８に示すように、上記窪み部７１５は、収容部７００Ａの内周面７０１における押圧体２２０Ａの側周部２２２との摺動面の所定領域に設けられる。
【０１５２】
ストップボタン１９Ａにおける摺動性悪化軽減作用について図１９を参照して説明する。
図１９（ａ）に示すように、収容部７００の内周面７０１と押圧体２２０Ａの側周部２２２間の隙間部８００から飲料Ｄｌが矢印ｃ２に示すように混入した場合、該飲料Ｄｌはその後窪み部７１５へと退避される。
【０１５３】
飲料Ｄｌが窪み部７１５へと退避され、時間が経過すると、飲料Ｄｌは、図１９（ｂ）に示すように、糖分が乾燥して付着物Ｄｓとなる。同様に、他の混入物が上記隙間部８００に混入した場合も、該混入物は窪み部７１５へと退避され、付着物Ｄｓとなる。
【０１５４】
このような本実施例の形態によると、ストップボタン１９Ａは、収容部７００Ａの内周面７０１に窪み部７１５を設けているので、押圧体２２０Ａと収容部７００Ａ間で形成される隙間部８００の空間容量の拡張作用を促し、飲料などの混入物を窪み部７１５へと退避させることで該混入物による押圧体２２０Ａと収容部７００Ａ間の癒着を回避し易い空間を形成できるようになる。したがって、ストップボタン１９Ａの摺動性の動作状態の悪化を軽減させるとともに比較的長期間化させ、防ぐことが可能となる。
【０１５５】
特に、ストップボタン１９Ａは、収容部７００Ａの内周面７０１のうちでも鉛直方向の最下方位置の近傍に窪み部７１５を設けたことで重力に従って混入する混入物を効率よく退避させることができ、上記癒着を回避し易くして摺動性の悪化を効率的に軽減できる。
【０１５６】
一方で、上述したストップボタン１９（図１５参照）においては、押圧体２２０Ａの側周部２２２のうちでも鉛直方向の最上方位置の近傍に窪み部２２２を設けたことで重力に従って混入する混入物を効率よく退避させることができる。要するに、この種のストップボタン１９、１９Ａにおいては、それを設置した個所よりも上方から混入物が入り込む場合を想定して窪み部を設ける位置を決める必要があり、押圧体２２０Ａにあっては窪み部２２５を上方に設け、収容部７００Ａにあっては窪み部７１５を下方に設けることで、それぞれ、上述した作用効果が見込めることとなる。
【０１５７】
なお、ストップボタン１９、１９Ａについては、本発明に係る混入物を収容する（退避させる）ことにより癒着を回避可能な窪み部２２５、７１５のいずれか一方を設ける例を示したが、両方に設けた構成としても良い。また、窪み部２２５、７１５は少なくとも１つあれば上記癒着回避機能を果たすことができるが、その数は限定されるものではなく、設計に応じて任意に配置可能である。また、窪み部２２５、７１５の形状も、半円形のものに限らず、断面の形状が三角形、四角形、多角形のものであってもよい。また、窪み部２２５、７１５は上述したようにドット状に配置しなくても良い。例えば、上述した多種の形状を有する窪みが線状に連なった長溝であってもよい。また、長溝の本数や配置方向も限定されるものではなく、例えば、押圧体２２０Ａ、収容部７００、７００Ａの軸方向に連なって形成される溝であっても良い。また、上述した窪み部２２５、７１５の深さは押圧体２２０Ａ、収容部７００の厚み等に応じて適宜決定すればよく、例えば、０．１から２ミリメートルの範囲内とすることができる。
【０１５８】
特に、ストップボタン１９、１９Ａは、機能上、押圧体２２０Ａを水平方向に摺動可能な構造である。かかる構造の各種操作ボタンにおいては、上記摺動方向に対して鉛直下方に向かって（重力方向に）落ちてくる液体や固体を効率よく退避させることを考慮にいれて窪み部２２５、７１５を種々の形態とすることができる。
【０１５９】
（ＢＥＴボタン２２、２２Ａ、２２Ｂ、２２Ｃ、２２Ｄ）
図２０は、本実施形態のパチスロ１におけるＢＥＴボタン２２を示す図であり、同図（ａ）は斜視図、同図（ｂ）は平面図、同図（ｃ）は断面図である。
【０１６０】
ＢＥＴボタン２２は、丸型のものであり、カバー２２７、情報彫込部材２２７１及びスイッチボックス２２８を備えて構成されている。遊技者が操作する部分であるカバー２２７は透明な硬質樹脂からなり、このカバー２２７の内部に設けられた情報彫込部材２２７１は緑色の蛍光色素を含む透明なアクリル樹脂からなる。また、スイッチボックス２２８は硬質樹脂からなり、同図（ｃ）に示すように、根元に切られたねじ溝２２８２によってパチスロ１の機器表面１２０に固定される。
【０１６１】
情報彫込部材２２７１は角板部材２２７２の下部中央に棒状部材２２７３が一体成型された形状をしている。角板部材２２７２の表面には彫り込みによって表示情報が描かれている。本実施形態では「ＭＡＸＢＥＴ」という英文字が描かれている。文字を描いている彫り込みの端部は表面積の小さい彫込エッジ２２７４になっている。
【０１６２】
また、角板部材２２７１の裏面２２７５にはシボ処理が施されており、この裏面２２７５は曇りガラスのように若干ざらついて艶消しされている。この情報彫込部材２２７１の表示情報彫込部分はカバー２２７を介して外部から視認される。しかし、その裏面２２７５がシボ処理されているため、情報彫込部材２２７１の背後は外部から見えなくなっており、遊技機外観の体裁が整えられている。
【０１６３】
スイッチボックス２２８の機器側末端内部にはランプ２２９が設けられており、このランプ２２９によって情報彫込部材２２７１に光が与えられる。このランプ２２９はパチスロ１の内部に設けられたものであっても良い。
【０１６４】
ランプ２２９から出射される光は棒状部材２２７３から情報彫込部材２２７１の部品内部に入り込む。入り込んだ光は、情報彫込部材２２７１の内部で反射を繰り返し、表示情報を描く彫込エッジ２２７４から部品外部へ出射する際、エッジライト効果が生じる。つまり、表面積の小さい彫込エッジ２２７４から部品外部へ光が出射する際、彫込エッジ２２７４の部分は、情報彫込部材２２７１内の蛍光色素の存在も相まって他の部分よりも明るく光って見える。
【０１６５】
また、情報彫込部材２２７１の裏面２２７５がシボ処理されているため、同図（ｂ）に示すように、カバー２２７を介して外部からこのＢＥＴボタン２２の情報彫込部材２２７１を見た場合、明るく光る彫込エッジ２２７４と艶消しされて光が拡散する裏面２２７５との間に明度差を生じ、表示情報である「ＭＡＸＢＥＴ」という英文字がはっきりと見え、文字に立体感が生じる。このため、ＢＥＴボタン２２の機能及び用途が明確に表示され、単に異なる色で全体が光る操作スイッチと異なり、遊技者にとって操作スイッチの種類を見分け易くなる。さらに、印刷の異なるインサートフィルム等を差し替えて変化を与える操作スイッチと異なり、ライティングによって演出効果を十分出すことが可能となる。
【０１６６】
図２０（ｃ）示すように、ＢＥＴボタン２２は、カバー２２７の側周部２２７０の下部がスイッチボックス２２８の上部に形成された円筒形状の内周面２２８１に挿通されている。これにより、カバー２２７を鉛直方向下方に押下することでＢＥＴスイッチ７７（図７参照）を作動させる位置まで移動させることができ、押下を止めることで初期位置に復帰させることができる。上述した上下動（摺動）を可能にするために、カバー２２７の側周部２２７０とスイッチボックス２２８の内周面２２８１との間には隙間部８０１が設けられている。
【０１６７】
また、ＢＥＴボタン２２においては、図２０（ｃ）に示すように、遊技者が操作する押圧体であるカバー２２７の側周部２２７０に複数の窪み部２２７７が形成されている。窪み部２２７７は、上述したストップボタン１９の窪み部２２５（図１４〜図１６参照）等と同様、カバー２２７の側周部２２７０とスイッチボックス２２８の内周面２２８１との間の隙間部８０１（空間）を拡張し、かつ、上記隙間部８０１から混入する混入物を退避させるためのものである。
【０１６８】
図２１は、図２０のＢＥＴボタン２２の断面構造を示す概念図である。図２１に示すＢＥＴボタン２２において、カバー２２７とスイッチボックス２２８との間には隙間部８０１が形成され、押圧体であるカバー２２７は、収容部であるスイッチボックス２２８の内周面２２８１に対し、鉛直下方（同図に示す矢印ａ１方向）及び鉛直上方（同、矢印ｂ１方向）の双方向に移動（摺動）可能に収容されている。
【０１６９】
図２１において、カバー２２７の側周部２２７０に形成される窪み部２２７７は、例えば、側周部２２７０を周回する断面半円の長溝によって構成されている。この例では、上記長溝が互いに平行して２列配列されている。
【０１７０】
これに対し、カバー２２７の軸方向については、図２１に示すように、上記窪み部２２７７は、カバー２２７の側周部２２７０におけるスイッチボックス２２８の内周面２２８１との摺動面の所定領域に設けられる。
【０１７１】
ＢＥＴボタン２２の構造によれば、図２１（ａ）において、例えば飲料Ｄｌが矢印ｃ３に示すようにスイッチボックス２２８の内周面２２８１とカバー２２７の側周部２２７０間の隙間部８０１から混入した場合、その後当該飲料Ｄｌはカバー２２７の側周部２２７０に形成された窪み部２２７７へと退避される。ここで、窪み部２２７７は、側周部２２７０を周回する断面半円の２列の長溝により形成されているため、カバー２２７の周りのどの場所から飲料Ｄｌが混入しても該飲料Ｄｌを直下の窪み部２２７７へと退避される。
【０１７２】
図２１（ａ）において飲料Ｄｌが窪み部２２７７へと退避され、時間が経過すると、これら飲料Ｄｌは、図２１（ｂ）に示すように、糖分が乾燥して付着物Ｄｓとなる。同様に、他の混入物が上記隙間部８０１から混入した場合も、該混入物は窪み部２２７７へと退避され、付着物Ｄｓとなる。
【０１７３】
このような本実施例の形態によると、ＢＥＴボタン２２は、カバー２２７の側周部２２７０に窪み部２２７７を設けているので、カバー２２７とスイッチボックス２２８間で形成される隙間部８０１の容量（空間）の拡張作用を促し、飲料などの混入物を窪み部２２７７へと退避させることで該混入物によるカバー２２７とスイッチボックス２２８間の癒着を回避し易い空間を形成できるようになる。したがって、ＢＥＴボタン２２の摺動性の動作状態の悪化を軽減させるとともに比較的長期間化させ、防ぐことが可能となる。
【０１７４】
図２２は、本実施形態のパチスロ１の別の例のＢＥＴボタン２２Ａの断面構造を示す概念図である。図２２に示すＢＥＴボタン２２Ａにおいて、押圧体であるカバー２２７Ａは、収容部であるスイッチボックス２２８Ａの内周面２２８１に対し、鉛直下方（同図に示す矢印ａ１方向）及び鉛直上方（同、矢印ｂ１方向）の双方向に移動（摺動）可能に収容されている。
【０１７５】
ＢＥＴボタン２２Ａにおいては、図２２（ａ）に示すように、スイッチボックス２２８Ａの内周面２２８１の、カバー２２７Ａの側周部２２７０と対向する領域に、カバー２２７Ａの側周部２２７０とスイッチボックス２２８Ａの内周面２２８１間の隙間部８０１から混入する混入物を退避させる窪み部２２８５が形成されている。窪み部２２８５は、例えば、内周面２２８１の外周面を周回する断面半円の長溝によって構成されている。この例では、上記長溝が互いに平行して２列配列されている。
【０１７６】
これに対し、スイッチボックス２２８Ａの軸方向については、図２２に示すように、上記窪み部２２８５は、スイッチボックス２２８Ａの内周面２２８１におけるカバー２２７Ａの側周部２２７０との摺動面の所定領域に設けられる。
【０１７７】
ＢＥＴボタン２２Ａの構造によれば、図２２（ａ）において、例えば飲料Ｄｌが矢印ｃ４に示すようにスイッチボックス２２８Ａの内周面２２８１とカバー２２７Ａの側周部２２７０間の隙間部８０１から混入した場合、その後当該飲料Ｄｌはスイッチボックス２２８Ａの内周面２２８１に形成された窪み部２２８５へと退避される。ここで、窪み部２２８５は、その内周面２２８１の内壁を周回する断面半円の２列の長溝により形成されているため、カバー２２７Ａの周りのどの場所から飲料Ｄｌが混入しても直下の窪み部２２８５へと退避される。
【０１７８】
図２２（ａ）において飲料Ｄｌが窪み部２２８５へと退避され、時間が経過すると、飲料Ｄｌは、図２２（ｂ）に示すように、糖分が乾燥して付着物Ｄｓとなる。同様に、他の混入物が混入した場合も、該混入物は窪み部２２８５へと退避され付着物Ｄｓとなる。
【０１７９】
このような本実施例の形態によると、ＢＥＴボタン２２Ａは、スイッチボックス２２８Ａの内周面２２８１に窪み部２２８５を設けているので、カバー２２７Ａとスイッチボックス２２８Ａ間で形成される隙間部８０１の容量（空間）の拡張作用を促し、飲料などの混入物を窪み部２２８５へと退避させることで該混入物によるカバー２２７Ａとスイッチボックス２２８Ａ間の癒着を回避し易い空間を形成できるようになる。したがって、ＢＥＴボタン２２Ａの摺動性の動作状態の悪化を軽減させるとともに比較的長期間化させ、防ぐことが可能となる。
【０１８０】
なお、図２１及び図２２に例示したＢＥＴボタン２２、２２Ａにおいては、本発明に係る混入物を収容して癒着を回避可能な窪み部２２７７、２２８５をいずれか一方に設けたが、両方を設けた構成としても良い。また、窪み部２２７７、２２８５の形状は、対象部分を周回する平行な長溝に限らず、螺旋状の長溝であってもよい。その本数や溝の断面形状も種々変形できる。また、長溝に限らず最小限１つの溝を配置した構成としても良い。
【０１８１】
特に、ＢＥＴボタン２２、２２Ａは、機能上、カバー（押圧体）２２７、２２７Ａを鉛直方向に摺動可能な構造である。かかる構造の各種操作ボタンにおいては、上記摺動方向に対して鉛直下方に向かって（重力方向に）落ちてくる液体や固体を効率よく退避可能なものであれば、窪み部２２７７、２２８５を種々の形態とすることができる。
【０１８２】
この他、押圧体を鉛直方向に摺動可能な構造の各種操作ボタンでは、隙間部からの混入物を退避させることで付着物Ｄｓの付着を抑制させる思想とは別の思想で摺動性悪化軽減対策を講じてもよい。
【０１８３】
図２３は、本実施形態のパチスロ１における他の例のＢＥＴボタン２２Ｄの断面構造を示す概念図である。図２３において、ＢＥＴボタン２２Ｄは、カバー２２７Ｄの側周部２２７０Ｄの下部がスイッチボックス２２８Ｄの内周面２２８１に挿通され、カバー２２７Ｄが矢印ａ１及びｂ１方向に摺動可能に構成されている。また、カバー２２７Ｄの側周部２２７０Ｄの上方部分には、スイッチボックス２２８Ｄの内周面２２８１の内径より大きな外径を有する傘部材２２７８が設けられている。
【０１８４】
図２３におけるＢＥＴボタン２２Ｄの構成によれば、飲料Ｄｌが例えば矢印ｃ５に示すようにカバー２２７Ｄの上にかかった場合も、該飲料Ｄｌは傘部材２２７８の上面を伝わってＢＥＴボタン２２Ｄの外側に流出することになる。同様に、食べ物などの固体がカバー２２７Ｄの上にかかった場合も、該固体は傘部材２２７８の上面を伝わってＢＥＴボタン２２Ｄの外側に流出されることになる。かかるＢＥＴボタン２２Ｄの構成によれば、液体や固体等の付着物Ｄｓとなり得るものがカバー２２７Ｂとスイッチボックス２２８との間の隙間部８０２に混入すること自体を防止でき、カバー２２７Ｂとスイッチボックス２２８間の摺動性の悪化要因を排除できる。
【０１８５】
（演出ボタン１２１、１２１Ａ）
図２４は、本実施形態のパチスロ１における演出ボタン１２１の断面構造を示す概念図である。図２４において、同図（ａ）は演出ボタン１２１の全体の構造を示し、同図（ｂ）は同図（ａ）の窪み部１２０２の配置位置近傍の部分拡大図を示している。
【０１８６】
図２４（ａ）に示すように、演出ボタン１２１は、押圧体１２００が収容部１２０５内で矢印ａ２方向及び矢印ｂ２方向へ摺動できるように収容部１２０５に収容された構造を有する。演出ボタン１２１は、すなわち、パチスロ１のフロントドア２ｂ前面に対して角度θ１傾斜した態様で取り付けられており、当該角度θ１で矢印ａ２及びｂ２方向への摺動を可能にしている。
【０１８７】
演出ボタン１２１において、押圧体１２００の側周部１２０１には、押圧体１２００と収容部１２０５との間の隙間部８０３から混入する液体や固体などの混入物を退避させる窪み部１２０２が設けられている。
【０１８８】
ここで、押圧体１２００は図２４（ａ）の例えば矢印ａ２方向からの正面視において例えば円形の形状を有する。この押圧体１２００において窪み部１２０２は、該押圧体１２００の周方向には上記円形の中心軸を基準にして上半周の領域内に設けることができる。なお、押圧体１２００の周方向の窪み部１２０２の配設領域についてはこれに限らず例えば押圧体１２００を周回するように設けることもできる。
【０１８９】
これに対し、押圧体１２００の軸方向については、図２４（ａ）に示すように、上記窪み部１２０２は、押圧体１２００の側周面１２０１における収容部１２０５の内周面１２０６との摺動面の所定領域に設けられる。上記窪み部１２０２は、図２４（ｂ）に示すように、略重力方向に中心軸を有するように形成されている。なお、本実施形態でいう略重力方向とは重力方向（図２４（ｂ）参照）に対する傾きが所定の角度αの範囲内にある方向であり、前記角度αの範囲内とは、例えば水平軸（図２４（ａ）における水平線）との間で規定されていれば良い。特にこの例の窪み部１２０２は、略重力方向に中心軸を有する円筒形の形状を有している。窪み部１２０２の形状は円筒形に限らず、三角や四角等の多角筒形等の形状であってもよい。また、前述したストップボタン１９、１９Ａにおける押圧体２２０Ａの窪み部２２５や収容部７００Ａの窪み部７１５、ＢＥＴボタン２２、２２Ａにおけるカバー２２７の窪み部２２７０やスイッチボックス２２８Ａの窪み部２２８５についても、略重力方向に中心軸を有するように形成することも可能である。このように、図２４における窪み部１２０２等の略重力方向に中心軸を有する窪み部は摺動方向が異なる各種操作ボタンに適用可能であり、該窪み部の配置角度など、設計自由度の向上が図れる。
【０１９０】
上述した演出ボタン１２１の押圧体１２００の窪み部１２０２の配置及び形状によれば、図２４（ａ）において、例えば飲料Ｄｌが矢印ｃ６に示すように収容部１２０５の内周面１２０６と押圧体１２００の側周部１２０１間の隙間部８０３に混入した場合、その後当該飲料Ｄｌは押圧体１２００の側周部１２０１に形成された窪み部１２０２へと退避される。ここで、窪み部１２０２は、図２４（ｂ）に示すように、略重力方向に中心軸を有する円筒形状の窪みで形成されているため、混入する飲料Ｄｌを効率よく退避させることができる。
【０１９１】
図２４（ａ）において窪み部１２０２へと退避された飲料Ｄｌは、時間が経過すると、図２４（ｂ）に示すように、糖分が乾燥して付着物Ｄｓとなる。同様に、他の混入物が上記隙間部８０３から混入した場合も、該混入物は窪み部１２０２へと退避される。このような本実施例の形態によると、演出ボタン１２１は、押圧体１２００の側周部１２０１に窪み部１２０２を設けているため、押圧体１２００と収容部１２０２間で形成される隙間部８０３（空間）の容量の拡張作用を促し、飲料などの混入物を窪み部１２０２へと退避させることで該混入物による押圧体１２００と収容部１２０２間の癒着を回避し易い空間を形成できるようになる。したがって、演出ボタン１２１の摺動性の動作状態の悪化を軽減させるとともに比較的長期間化させ、防ぐことが可能となる。
【０１９２】
図２５は、本実施形態のパチスロ１における別の例の演出ボタン１２１Ａの断面構造を示す概念図である。図２５において、同図（ａ）は演出ボタン１２１Ａの全体の構造を示し、同図（ｂ）は同図（ａ）の窪み部１２０７の配置位置近傍の部分拡大図を示している。
【０１９３】
図２５（ａ）に示すように、演出ボタン１２１Ａも、図２４に示した演出ボタン１２１Ａと同様、押圧体１２００Ａが収容部１２０５Ａ内で矢印ａ２及びｂ２方向へ摺動できるように収容部１２０５Ａに収容された構造を有する。演出ボタン１２１Ａもまた、パチスロ１のフロントドア２ｂ前面に対して角度θ１傾斜した態様で取り付けられている。
【０１９４】
演出ボタン１２１Ａにおいて、収容部１２０５Ａの内周面１２０６には、該内周面１２０６と押圧体１２００Ａの側周部１２０１との間の隙間部８０３を拡張するとともに、該隙間部８０３から混入する混入物を退避させるための窪み部１２０７が設けられている。
【０１９５】
ここで、収容部１２０５Ａは図２５（ａ）の例えば矢印ａ２方向からの正面視において例えば円形の形状を有する。この収容部１２０５において窪み部１２０７は、該収容部１２０５Ａの内周面１２０６の周方向には上記円形の中心軸を基準にして上半周の領域内に設けることができる。なお、収容部１２０５Ａの内周面１２０６の周方向の窪み部１２０７の配設領域についてはこれに限らず例えば上記内周面１２０６の表面を周回するように設けることもできる。
【０１９６】
これに対し、収容部１２０５Ａの軸方向については、図２５（ａ）に示すように、上記窪み部１２０７は、収容部１２０５Ａの内周面１２０６における押圧体１２００Ａの側周面１２０１との摺動面の所定領域に設けられる。ここで窪み部１２０７は、図２５（ｂ）に示すように、略重力方向に中心軸を有するように形成されている。この例の窪み部１２０７は円筒形の形状を有しているが、これに限らず、三角や四角等の多角筒形等の形状であってもよい。
【０１９７】
上述した演出ボタン１２１Ａの収容部１２０５Ａの窪み部１２０７の配置及び形状によれば、図２５（ａ）において、例えば飲料Ｄｌが矢印ｃ７に示すように収容部１２０５Ａの内周面１２０６と押圧体１２００Ａの側周部１２０１間の隙間部８０３から混入した場合、その後当該飲料Ｄｌは収容部１２０５Ａに設けた窪み部１２０７へと退避される。ここで、窪み部１２０７は、図２５（ｂ）に示すように、略重力方向に中心軸を有する円筒形状の窪みで形成されているため、混入する飲料Ｄｌを効率よく退避させることができる。
【０１９８】
図２５（ａ）において窪み部１２０７へと退避された飲料Ｄｌは、時間が経過すると、図２５（ｂ）に示すように、糖分が乾燥して付着物Ｄｓとなる。同様に、上述した他の混入物が上記隙間部８０３に混入した場合も、該混入物は窪み部１２０７へと退避される。このような本実施例の形態によると、演出ボタン１２１Ａは、収容部１２０５Ａの内周面１２０６に窪み部１２０７を設けているため、押圧体１２００Ａと収容部１２０５Ａ間に形成される隙間部８０３（空間）の容量の拡張作用を促し、飲料などの混入物を窪み部１２０７へと退避させることで該混入物による押圧体１２００Ａと収容部１２０５Ａ間の癒着を回避し易い空間を形成できるようになる。したがって、演出ボタン１２１Ａの摺動性の動作状態の悪化を軽減させるとともに比較的長期間化させ、防ぐことが可能となる。
【０１９９】
特に、演出ボタン１２１Ａは、収容部１２０５Ａの内周面１２０６のうちでも鉛直方向の最下方位置の近傍に窪み部１２０７を設け、しかも、その窪み部１２０７は、重力方向に中心軸を有する円筒形の形状を有している。この構成によれば、隙間部８０３から重力に従って混入して混入物を窪み部１２０７へと確実に退避させることができ、摺動性の動作状態の悪化をより効率よく軽減させることができる。
【０２００】
なお、図２４及び図２５に示す演出ボタン１２１及び１２１Ａでは、押圧体１２００，１２００Ａまたは収容部１２０５、１２０５Ａのいずれか一方に本発明に係る窪み部１２０２、１２０７を形成した例を示したが、押圧体１２００，１２００Ａ及び収容部１２０５、１２０５Ａの双方に窪み部１２０２、１２０７を形成した構成としてもよい。また、窪み部１２０２、１２０７は、最低限１つあればよいが全周に亘って複数設けても良い。また、その形状も上述した溝に限らず、連続した長溝等、様々な態様で実現できる。
【０２０１】
なお、パチスロ１では、演出ボタン１２１、１２１Ａと同様、パチスロ１のフロントドア２ｂ前面に対して傾斜した摺動方向を有する各種操作ボタンとして、選択ボタン１２２、決定ボタン１２３を備えている。したがって、これら選択ボタン１２２、決定ボタン１２３についても、演出ボタン１２１、１２１Ａにおける窪み部１２０２または１２０７と同等の窪み部を設けた摺動性悪化軽減構造を適用できる。
【０２０２】
また、本発明はパチスロ１に限らずパチンコ遊技機等の他の遊技機等にも適用可能である。  
図２６は、本発明に係るパチンコ遊技機６０１における外観を示す斜視図である。図２６に示すように、パチンコ機６０１は、ガラスドア６１０、皿ユニット６１１、発射装置６１２、液晶表示装置６１３、及び遊技盤６１４が、ベースドア６１５に支持された構造を有している。
【０２０３】
皿ユニット６１１は、遊技球を貯留するためのものであり、上皿７１１の下方に下皿７１２を一体化したユニットとして構成されている。上皿７１１には、払出口７１３、操作ボタン６２０が設けられている。
【０２０４】
発射装置６１２は、遊技盤６１４上の遊技領域に、上皿７１１に貯留された遊技球を発射するためのものであり、パネル体７２１の表面側に発射ハンドル７２２を設けたものである。
【０２０５】
操作ボタン６２０は、いわゆる「ＣＨＡＮＣＥボタン」あるいは「プッシュボタン」等と呼ばれるものであり、例えば液晶表示装置６１３において表示されるＣＨＡＮＣＥ演出（いわゆるカットイン演出や可動体の可動の有無等）を行うか否かを選択するために、あるいは大当りの期待度を報知する演出（例えば会話演出の会話内容や文字色）において期待度を報知させるときに遊技者によって操作されるものである。
【０２０６】
また、パチンコ遊技機６０１の上皿７１１の上方部分には操作部７３１が設けられる。操作部７３１は、遊技球の貸出しを指示する貸出ボタン７３１ａ、遊技球の返却を指示する返却ボタン７３１ｂ等を備えている。
【０２０７】
図２６に示すように、パチンコ遊技機６０１には、遊技者が操作するための各種操作ボタンとして、操作ボタン６２０、貸出ボタン７３１ａ、返却ボタン７３１ｂが設けられている。これら操作ボタン６２０、貸出ボタン７３１ａ、返却ボタン７３１ｂは、摺動方向の角度は異なるが、遊技者が直接触れる押圧体を、収容部により摺動可能に保持する構造によって実現されている。したがって、パチンコ遊技機６０１の操作ボタン６２０、貸出ボタン７３１ａ、返却ボタン７３１ｂのボタン類についても、図２に示したパチスロ１と同様、押圧体の側周部または収容部の内周面の少なくともいずれか一方に、押圧体と収容部間の隙間部から混入する混入物を退避させることにより癒着を回避可能な窪み部を形成した摺動性悪化軽減構造を適用可能である。
【０２０８】
この他、本発明は特許請求の範囲に記載の主旨を逸脱しない範囲内で種々変更して実現できるものである。例えば、図２６に示すパチンコ遊技機６０１において、発射装置６１２と発射ハンドル７１２が回動部材を収容部に対して回動可能に収容した構造により実現される場合もある。この種の機構から成る操作部を対象とし、回動部材の側周部と収容部の内周面の少なくともいずれか一方に、ストップボタン１９等と同等の窪み部を形成した構造を設けてもよい。
【０２０９】
また、本発明に係る各種操作ボタンは、遊技機の操作ボタンに限らず、押圧されて移動する押圧体と、押圧体を移動可能に収容する収容部と、を有する各種機器などのボタン類全般に適用可能である。当該ボタン類において、押圧体の移動の際、当該移動を可能とさせる隙間部を押圧体と収容部との間に形成し、押圧体の周面と収容部の周面とで形成される摺動面の所定領域に隙間部から混入する混入物を退避させる窪み部を設けることで、上記隙間部への混入物による摺動性の動作状態の悪化を軽減できるようになる。
【符号の説明】
【０２１０】
１  パチスロ
１５  操作部
１９、１９Ａ  ストップボタン
２２０Ａ  押圧体
２２２  側周部（押圧体の周面）
７００、７００Ａ  収容部
７０１  内周面（収容部の周面）
２２５、７１５  窪み部
１２１、１２１Ａ  演出ボタン
１２００、１２００Ａ  押圧体
１２０１  側周部（押圧体の周面）
１２０２、１２０７  窪み部
１２０５、１２０５Ａ  収容部
１２０６  内周面（収容部の周面）
１２２  選択ボタン
１２３  決定ボタン
２２、２２Ａ、２２Ｄ  ＢＥＴボタン
２２７、２２７Ａ、２２７Ｄ  カバー
２２８、２２８Ａ、２２８Ｄ  スイッチボックス
２２７０、２２７０Ｄ  側周部（押圧体の周面）
２２８１  内周面（収容部の周面）
２２７７、２２８５  窪み部
２２７８  傘部材
６０１  パチンコ遊技機
６２０  操作ボタン
７３１ａ  選択ボタン
７３１ｂ  返却ボタン
８０８、８０１、８０２、８０３  隙間部
【図１】
2016152883.tif 000003
【図２】
2016152883.tif 000004
【図３】
2016152883.tif 000005
【図４】
2016152883.tif 000006
【図５】
2016152883.tif 000007
【図６】
2016152883.tif 000008
【図７】
2016152883.tif 000009
【図８】
2016152883.tif 000010
【図９】
2016152883.tif 000011
【図１０】
2016152883.tif 000012
【図１１】
2016152883.tif 000013
【図１２】
2016152883.tif 000014
【図１３】
2016152883.tif 000015
【図１４】
2016152883.tif 000016
【図１５】
2016152883.tif 000017
【図１６】
2016152883.tif 000018
【図１７】
2016152883.tif 000019
【図１８】
2016152883.tif 000020
【図１９】
2016152883.tif 000021
【図２０】
2016152883.tif 000022
【図２１】
2016152883.tif 000023
【図２２】
2016152883.tif 000024
【図２３】
2016152883.tif 000025
【図２４】
2016152883.tif 000026
【図２５】
2016152883.tif 000027
【図２６】
2016152883.tif 000028